(57)【特許請求の範囲】
【請求項１】
枠部と、前記枠部の内周における２点間を接続する複数の接続部と、前記複数の接続部における少なくとも一部の接続部に取り付けられて前記枠部内に並設される複数の長尺状の刃体とを備えた剃刀ヘッドにおいて、
前記枠部は、対向する一対の長側壁と、対向する一対の短側壁とを備え、全体として長方形状の外形を有しており、
前記刃体が取り付けられた接続部は、前記長側壁同士を接続した状態で一対のみ設けられており、
前記枠部の長手方向における位置を百分率で表し、前記長手方向の中央部を０％とし、前記長手方向の両端部における前記短側壁の内面をそれぞれ１００％とすると、前記刃体が取り付けられた一対の接続部は、前記中央部を挟んだ両側の３０％〜９０％の範囲に配置されており、
前記刃体が取り付けられた接続部は、前記枠部の長手方向における長さが前記刃体が取り付けられた接続部の他の部分よりも小さく構成された幅狭部を有することを特徴とする剃刀ヘッド。
【請求項２】
前記幅狭部は、前記刃体が取り付けられた接続部における前記長側壁側の端部に設けられている請求項１に記載の剃刀ヘッド。
【請求項３】
前記刃体の長手方向の両端部と、前記枠部の内周との間には空間が設けられている請求項１又は２に記載の剃刀ヘッド。
【請求項４】
前記刃体が取り付けられた一対の接続部には、互いに離間する方向に突出した板バネが設けられており、
前記刃体は、前記板バネに支持されている請求項３に記載の剃刀ヘッド。
【発明の詳細な説明】
【技術分野】
【０００１】
本発明は、剃刀ヘッドに関する。
【背景技術】
【０００２】
特許文献１は、剃刀ヘッドについて記載している。
図１２に示すように、剃刀ヘッド６０は、長方形状の外形を有する枠部６１と、枠部６１の内周における２点間を接続する３つの接続部６２と、接続部６２に取り付けられて枠部６１の内周に並設される複数の長尺状の刃体（図示省略）とを備えている。接続部６２には凸部としてのペグ６４が複数設けられており、隣り合うペグ６４同士の間に刃体が挟持されている。
【先行技術文献】
【特許文献】
【０００３】
【特許文献１】特許第５３１３３３９号公報
【発明の概要】
【発明が解決しようとする課題】
【０００４】
特許文献１の剃刀ヘッド６０には、枠部６１の長手方向の中央部を含む３箇所の接続部６２に刃体が取り付けられており、各接続部６２には刃体を保持するためのペグ６４が複数設けられている。また、枠部６１の長手方向の両端に位置する短側壁６３の内側にも、刃体を保持するための保持部６３ａが設けられている。そのため、枠部６１内を流通する液体等の流通抵抗が大きくなりやすいという課題を有している。液体の流通抵抗を小さくするために接続部６２の数を減らすと、髭かすなどの抜けが良くなってリンス性は向上するが、刃体を支持する箇所が減るため刃体が撓みやすくなって他の不具合が生じやすくなる。また、刃体の撓みを抑制するために刃体を支持する箇所を増やすと、液体の流通抵抗が大きくなるため髭かすなどの抜けが悪くなってリンス性が低下する。本発明は、流通抵抗の低減と刃体の撓みの抑制という二律背反の要素を両立させるために行われたものであり、その目的は、枠部内を流通する液体等の流通抵抗を小さくすることと、刃体の撓みの抑制を両立した剃刀ヘッドを提供することにある。
【課題を解決するための手段】
【０００５】
上記課題を解決するための剃刀ヘッドは、枠部と、前記枠部の内周における２点間を接続する複数の接続部と、前記複数の接続部における少なくとも一部の接続部に取り付けられて前記枠部内に並設される複数の長尺状の刃体とを備えた剃刀ヘッドにおいて、前記枠部は、対向する一対の長側壁と、対向する一対の短側壁とを備え、全体として長方形状の外形を有しており、前記刃体が取り付けられた接続部は、前記長側壁同士を接続した状態で一対のみ設けられており、前記枠部の長手方向における位置を百分率で表し、前記長手方向の中央部を０％とし、前記長手方向の両端部における前記短側壁の内面をそれぞれ１００％とすると、前記刃体が取り付けられた一対の接続部は、前記中央部を挟んだ両側の３０％〜９０％の範囲に配置されていることを要旨とする。
【０００６】
この構成によれば、刃体が取り付けられた接続部は一対のみ設けられているため、刃体が取り付けられた接続部が３つ以上設けられた態様に比べて、枠部内を流通する液体等の流通抵抗を小さくすることが可能になる。枠部内を流通する液体等の流通抵抗が小さくなると、剃刀ヘッドの肌接触面とは反対側の底面側への髭かす、皮膚あか、シェービング剤等の抜けがよくなるため、使用者に直接触れる剃刀ヘッドをきれいで清潔な状態、言い換えれば、衛生的な状態に保つことができる。そのため、使用者にとってもメリットがある。また、刃体が取り付けられた一対の接続部が、中央部を挟んだ両側の３０％〜９０％の範囲に配置されていることにより、枠部の短手方向における刃体の撓みを好適に抑制した状態で刃体を保持することができるため、刃先が逃げることなく適切に髭に当たった状態で髭を剃ることができる。肌に対して刃先が良好に当たる状態を維持しやすくなるため、使用者に対して長く快適さを提供し続けることができる。さらに、上記液体等の流通抵抗が小さいことによる効果と、上記刃体の撓みを抑制することによる効果とを両立させることができる。
【０００７】
上記剃刀ヘッドについて、前記刃体が取り付けられた接続部は、前記枠部の長手方向における長さが前記刃体が取り付けられた接続部の他の部分よりも小さく構成された幅狭部を有することが好ましい。この構成によれば、幅狭部を有することにより、枠部内を流通する液体等の流通抵抗をより小さくすることが可能になる。また、剃刀ヘッドにホルダ等の他の部材を組み付ける際に、幅狭部を他の部材を組み付けるためのスペースとして活用することができるため、他の部材が接続部の幅方向に突出することを抑制することができる。そのため、他の部材によって流通抵抗が大きくなることを抑制することができる。
【０００８】
上記剃刀ヘッドについて、幅狭部は、前記刃体が取り付けられた接続部における前記長側壁側の端部に設けられていることが好ましい。長側壁の内周に沿って液体等が流通しやすくなるため、液体等の流通抵抗をより小さくすることができる。
【０００９】
上記剃刀ヘッドについて、前記刃体の長手方向の両端部と、前記枠部の内周との間には空間が設けられていることが好ましい。この構成によれば、この空間を利用して、枠部内を水等の液体が通過しやすくなる。また、刃体の長手方向の両端部にバリが残る場合であっても、空間によってバリが邪魔にならずに支障なく刃体を接続部に取り付けることが可能になる。
【００１０】
上記剃刀ヘッドについて、前記刃体が取り付けられた一対の接続部には、互いに離間する方向に突出した板バネが設けられており、前記刃体は、前記板バネに支持されていることが好ましい。この構成によれば、刃体の長手方向の両端部と枠部の内周との間の空間を残しつつ、刃体の長手方向の両端部側を板バネで支持することができる。また、長尺状の刃体を支持するにあたり、刃体の長手方向の両端部側を支持することにより、より安定した状態で刃体を支持することができる。板バネの弾性変形に伴い刃体が移動した場合であっても、刃体を安定して支持することができる。
【発明の効果】
【００１１】
本発明の剃刀ヘッドによれば、枠部内を流通する液体等の流通抵抗が小さく、髭かす、皮膚あか、シェービング剤等が抜けやすいため、剃刀ヘッドをきれい、清潔、衛生的に保つことができる。また、枠部の短手方向における刃体の撓みを好適に抑制した状態で刃体を保持することができるため、刃先が逃げることなく適切に髭に当たった状態で髭を剃ることができる。肌に対して刃先が良好に当たる状態を維持しやすくなるため、使用者に対して長く快適さを提供し続けることができる。さらに、上記液体等の流通抵抗が小さいことによる効果と、上記刃体の撓みを抑制することによる効果とを両立させることができる。
【図面の簡単な説明】
【００１２】
【図１】剃刀ヘッドの斜視図。
【図２】剃刀ヘッドの枠部の斜視図。
【図３】枠部の平面図。
【図４】枠部の斜視図。
【図５】接続部の拡大図。
【図６】刃体を１個取り付けた状態における枠部の平面図。
【図７】刃体を１個取り付けた状態における枠部の斜視図。
【図８】図６の８−８線断面図。
【図９】図６の９−９線断面図。
【図１０】シミュレーションの模式図。
【図１１】シミュレーション結果を示すグラフ。
【図１２】従来技術の剃刀ヘッドにおける枠部の平面図。
【発明を実施するための形態】
【００１３】
剃刀ヘッドの実施形態を説明する。
図１、２に示すように、剃刀ヘッド１０は、図示しないホルダに取り付けられて剃刀として用いられる。剃刀ヘッド１０は、長方形状の外形を有する枠部２０と、枠部２０の短手方向の一端側であり、図１の紙面左下側に取り付けられる下部材１１と、枠部２０の短手方向の他端側であり、図１の紙面右上側に取り付けられる上部材１２とを備える。剃刀ヘッド１０は、枠部２０の長手方向の両端部にそれぞれ取り付けられて枠部２０内の刃体１４の両端部を覆う被覆部材１３を備える。被覆部材１３により、刃体１４の上方（図３における紙面手前側）への動きが抑制されている。下部材１１、上部材１２、及び、被覆部材１３が枠部２０に取り付けられた状態で、剃刀ヘッド１０は、曲線状の角部と、角部の曲線よりも緩やかな曲線で各角部を繋いだ略長方形状の外形を有する平板状に構成されている。下部材１１は、水溶性成分を含んだ髭剃り補助剤や髭軟化剤を含んでいてもよいし、肌面を引っ張る機能や髭を起こす機能を備えていてもよい。上部材１２は、水溶性成分を含んだ髭剃り補助剤や肌の保湿剤を含んでいてもよい。
【００１４】
枠部２０の内部には、複数の長尺状の刃体１４が並設されている。具体的には、刃体１４は、枠部２０の長手方向と刃体１４の長手方向とが同一方向となった状態で、枠部２０の短手方向に沿って略等間隔に５つ並設されている。刃体１４の数は５つに限定されず、２〜４つでもよく、６つ以上でもよい。
【００１５】
枠部２０について説明する。
図２、３に示すように、枠部２０は、対向する一対の長側壁２１と、対向する一対の短側壁２２とを備え、全体として長方形状の外形を有している。一対の長側壁２１のそれぞれには、枠部２０の短手方向である長側壁２１の厚さ方向外側に突出した鍵状の突起部２１ａが形成されている。この突起部２１ａは、長側壁２１の長手方向の両端部側に２つ設けられている。２つの鍵状の突起部２１ａの間には、長側壁２１の厚さが部分的に厚くなった肉厚部２１ｂが形成されている。鍵状の突起部２１ａに剃刀ヘッド１０の下部材１１の係合片（図示省略）及び上部材１２の係合片（図示省略）が係合するとともに、肉厚部２１ｂに下部材１１の当接部（図示省略）及び上部材１２の当接部（図示省略）が当接した状態で、下部材１１及び上部材１２は枠部２０に取り付けられる。なお、本実施形態において、鍵状の突起部２１ａと肉厚部２１ｂは、下部材１１側と上部材１２側とにおいて形状が異なっているが、同じ形状であってもよい。
【００１６】
また、上記「長方形状の外形」は、厳密に長方形の外形のみを意味するのではなく、例えば、突起部２１ａや肉厚部２１ｂ等の形状を有しつつ全体として略長方形状である外形を含むものとする。
【００１７】
枠部２０の内周には、長側壁２１の長手方向の中央部において長側壁２１同士を接続する接続部としての第１接続部２３を有している。長側壁２１の長手方向において、第１接続部２３の両側には、同じく長側壁２１同士を接続する接続部としての第２接続部２４と第３接続部２５とを有する。すなわち、枠部２０内には、接続部が複数設けられている。第２接続部２４は、第１接続部２３よりも枠部２０の長手方向における一端側に設けられ、第３接続部２５は、第１接続部２３よりも枠部２０の長手方向における他端側に設けられている。第１接続部２３、第２接続部２４、及び、第３接続部２５は平板状に構成され、枠部２０の短手方向に沿って延びており、それぞれ、枠部２０の内周における２点間を接続している。
【００１８】
図３に示すように、長側壁２１の長手方向における第１接続部２３の長さ（以下、「第１接続部２３の幅ともいう。」）Ｐ１は、同方向における第２接続部２４の長さ（以下、「第２接続部２４の幅ともいう。」）Ｐ２、及び、同方向における第３接続部２５の長さ（以下、「第３接続部２５の幅ともいう。」）Ｐ３よりも大きく構成されている。第１接続部２３は、剃刀ヘッド１０が柄に対して首振りをするように設定した際の首振りに関与する部材であり、刃体１４を取り付ける作用はない。そのため、本実施形態において、第１接続部２３は省略することができる。
【００１９】
第２接続部２４及び第３接続部２５における長側壁２１側の端部には、枠部２０の長手方向における長さが第２接続部２４及び第３接続部２５の他の部分よりも小さく構成された幅狭部２４ａ、２５ａを有する。すなわち、第２接続部２４及び第３接続部２５は、幅狭部２４ａ、２５ａにおいて、幅が狭くなるように構成されている。
【００２０】
幅狭部２４ａ、２５ａの寸法は、特に限定されないが、例えば、第２接続部２４の幅Ｐ１及び第３接続部２５の幅Ｐ２よりも０．２ｍｍ〜１．０ｍｍ幅が狭くなっていることが好ましい。言い換えれば、幅狭部２４ａ、２５ａは、０．２ｍｍ〜１．０ｍｍ凹んだ状態で形成されていることが好ましい。
【００２１】
図２〜４に示すように、第２接続部２４及び第３接続部２５には、第２接続部２４及び第３接続部２５の厚さ方向である枠部２０の軸方向の一方側（図３における紙面手前側）に突出した凸部３０が形成されている。凸部３０は、第２接続部２４及び第３接続部２５の長手方向である枠部２０の短手方向に沿って４つずつ設けられている。
【００２２】
第１接続部２３には、刃体１４を取り付ける部材である凸部３０は設けられていない。すなわち、第１接続部２３は、刃体１４を取り付ける接続部ではなく、第２接続部２４及び第３接続部２５が、刃体１４を取り付ける接続部に該当する。
【００２３】
第２接続部２４には、枠部２０の長手方向に沿うとともに、第３接続部２５と離間する方向に突出した板バネ４０が設けられている。第３接続部２５には、枠部２０の長手方向に沿うとともに、第２接続部２４と離間する方向に突出した板バネ４０が設けられている。言い換えれば、第２接続部２４に設けられた板バネ４０は、枠部２０の長手方向の一端側に突出している。第３接続部２５に設けられた板バネ４０は、枠部２０の長手方向の他端側に突出している。
【００２４】
第２接続部２４及び第３接続部２５は、第１接続部２３を中心に線対称に構成されている。第２接続部２４及び第３接続部２５に設けられた凸部３０及び板バネ４０も第１接続部２３を中心に線対称に設けられている。そのため、以下の凸部３０及び板バネ４０の説明は、第３接続部２５について行い、第２接続部２４については説明を省略する。
【００２５】
凸部３０について説明する。
図５に示すように、凸部３０における突出方向に直交する方向の断面形状である横断面形状は、角部が曲線状となった平行四辺形で構成されている。凸部３０は、枠部２０の長手方向に沿う第１平面３１及び第２平面３２と、枠部２０の長手方向と短手方向の両方に対して傾斜した第３平面３３及び第４平面３４とを有している。
【００２６】
凸部３０の第１平面３１は、枠部２０の短手方向における一端側に面して形成され、凸部３０の第２平面３２は、枠部２０の短手方向における他端側に面して形成されている。凸部３０の第３平面３３は、枠部２０の長手方向の一端側と枠部の短手方向の他端側の両方に面するように傾斜して形成され、凸部３０の第４平面３４は、枠部２０の長手方向における他端側と枠部２０の短手方向の一端側の両方に面するように傾斜して形成されている。
【００２７】
枠部２０の短手方向から見て、４つの凸部３０における第１平面３１同士は同じ位置にあるとともに、第２平面３２同士は同じ位置にある。言い換えれば、刃体１４の長手方向において、４つの凸部３０における第１平面３１同士は同じ位置にあるとともに、第２平面３２同士は同じ位置にある。
【００２８】
枠部２０の短手方向に沿う４つの凸部３０において、隣り合う一方の凸部３０の第２平面３２と、他方の凸部３０の第１平面３１との間には隙間（以下、「平面同士の隙間」ともいう。）Ｓ１が形成されている。この隙間Ｓ１に刃体１４が挿入されて凸部３０同士で挟持されることにより、刃体１４は第３接続部２５に取り付けられる。
【００２９】
ここで、「挟持」には、凸部３０同士の間において、枠部２０の軸方向に対して刃体１４が移動不能に挟み込まれた状態のみを意味するのではなく、枠部２０の軸方向に対する刃体１４の移動を許容する程度に刃体１４が挟み込まれた状態を含むものとする。すなわち、剃刀の使用時に肌に押し当てる圧力により、刃体１４が枠部２０の軸方向に移動することができる程度に挟み込まれた状態を含むものとする。
【００３０】
平面同士の隙間Ｓ１は、特に限定されないが、０．０２５ｍｍ〜１．０ｍｍであることが好ましく、０．１ｍｍ〜０．５ｍｍであることがよりこの好ましい。平面同士の隙間Ｓ１が上記数値範囲であることにより、厚さが０．０２ｍｍ〜０．９６ｍｍ程度の刃体１４を平面同士の隙間Ｓ１に挿入しやすい状態を維持しつつ、凸部３０同士によって刃体１４を好適に挟持することができる。
【００３１】
枠部２０の長手方向において、第１平面３１の長さＴ１は、第２平面３２の長さＴ２と同じ長さで構成されているとともに、枠部２０の短手方向から見て、隣り合う凸部３０同士における第１平面３１と第２平面３２は、互いに重ならない位置にずれている。第１平面３１と第２平面３２が互いに重ならない位置にずれていることにより、隣り合う凸部３０同士の第１平面３１と第２平面３２が対向することが抑制されている。
【００３２】
第１平面３１の長さＴ１と第２平面３２の長さＴ２は、特に限定されないが、それぞれ、０．２ｍｍ〜２．０ｍｍであることが好ましく、０．３ｍｍ〜１．４ｍｍであることがより好ましい。第１平面３１の長さＴ１と第２平面３２の長さＴ２は、同じ長さである態様に限定されず、互いに異なる長さであってもよい。
【００３３】
図５に示すように、第１平面３１と第２平面３２が互いに重ならない位置にずれていることにより、隣り合う凸部３０同士における枠部２０の短手方向の最小間隔（以下、「凸部同士の最小間隔」という。）Ｗが、平面同士の隙間Ｓ１よりも大きくなる。
【００３４】
図５に示すように、隣り合う凸部３０同士において、一方の凸部３０の第２平面３２と他方の凸部３０の第１平面３１とにおける枠部２０の長手方向の離間距離（以下、「平面同士の離間距離」ともいう。）Ｕは、特に限定されないが、０．０１ｍｍ〜１．０ｍｍであることが好ましく、０．０５ｍｍ〜０．８ｍｍであることがより好ましい。平面同士の離間距離Ｕが上記数値範囲であることにより、第１平面３１と第２平面３２を互いに重ならない位置にずらしつつ、第３接続部２５の幅Ｐ２を相対的に小さくすることができる。
【００３５】
板バネ４０について説明する。
図３、４に示すように、第３接続部２５には板バネ４０が５つ設けられている。板バネ４０は、長尺状の板材で構成されている。板バネ４０の基端部は第３接続部２５に接続されているとともに、板バネ４０の先端部は第２接続部２４から離間する方向に突出している。具体的には、板バネ４０の先端部は、板バネ４０の基端部から枠部２０の長手方向の他端側に向かいつつ、枠部２０の軸方向の一方側（図３の紙面手前側）に向かって延びており、枠部２０の長手方向に対して傾斜した状態で延びている。板バネ４０の先端部は開放された状態になっている。板バネ４０の先端部が開放されていることにより、板バネ４０は、枠部２０の軸方向に沿って弾性変形可能に構成されている。
【００３６】
また、枠部２０の軸方向側（図３における紙面手前側）から見て、板バネ４０は、枠部２０の短手方向の他端側に若干傾斜した状態で突出している。言い換えれば、枠部２０の軸方向側（図３における紙面手前側）から見て、板バネ４０の基端部から先端部に延びる方向は、枠部２０の短手方向の他端側に若干傾斜している。
【００３７】
板バネ４０の先端部には、枠部２０の軸方向の一方側に突出した突起４１が形成されている。この突起４１は、後述するように刃体１４を支持する支持部として機能する。
枠部２０における刃体１４の保持機構について説明する。
【００３８】
図６、７に示すように、第２接続部２４及び第３接続部２５のそれぞれにおいて、枠部２０の短手方向に沿って設けられた４つの凸部３０のうち、隣り合う凸部３０の平面同士の隙間に刃体１４を挿入する。刃体１４の長手方向の一端側が、第２接続部２４の凸部３０の平面同士の隙間に挟持されるとともに、刃体１４の長手方向の他端側が、第３接続部２５の凸部３０の平面同士の隙間Ｓ１に挟持された状態で刃体１４は保持される。これにより、刃体１４が取り付けられた接続部として、第２接続部２４と第３接続部２５とが一対のみ設けられた状態となる。なお、図６、７では、刃体１４を１つだけ取り付けた態様を示している。
【００３９】
図８、９に示すように、刃体１４は、凸部３０の平面同士の隙間に挟持される板状の本体部１４ａと、本体部１４ａの短手方向の一端側に接合される刃部１４ｂとを有する。本体部１４ａは、短手方向の一端側において本体部１４ａの厚さ方向に湾曲した湾曲部１４ｃを有しており、この湾曲部１４ｃに刃部１４ｂは接合されている。
【００４０】
図９に示すように、凸部３０の平面同士の隙間に刃体１４を挿入した状態で、刃体１４の本体部１４ａにおける湾曲部１４ｃの凹側の表面Ｐが板バネ４０の突起４１に当接する。言い換えれば、刃体１４は、板バネ４０の突起４１に支持された状態となっている。
【００４１】
図８に示すように、湾曲部１４ｃの凹側の表面Ｐが板バネ４０の突起４１に当接した状態で、湾曲部１４ｃの凹側の表面Ｐと凸部３０の先端３０ａとの間には、所定の隙間Ｓ２が形成されている。所定の隙間Ｓ２が形成されていることにより、刃体１４は、板バネ４０の弾性変形に伴い枠部２０の軸方向に移動可能に保持された状態となる。
【００４２】
また、凸部３０の先端３０ａは、凸部３０の軸方向に対して傾斜した平面状の端面を有しており、この端面は、刃体１４の刃部１４ｂの下面と略平行に構成されている。
また、枠部２０の軸方向側（図３における紙面手前側）から見て、板バネ４０が、枠部２０の短手方向の他端側に若干傾斜していることにより、板バネ４０が支持する刃体１４を、刃体１４の後ろ側（枠部２０の短手方向の他端側）に位置する凸部３０へ若干付勢した状態となる。これにより、刃体１４をより安定した状態で保持することができる。
【００４３】
剃刀ヘッド１０の材質は特に限定されないが、樹脂（プラスチック材料）製であると成形性に優れているため好ましい。剃刀ヘッド１０の材質として用いられる樹脂としては、例えば、ＡＢＳ樹脂、ポリプロピレン樹脂、ポリスチレン樹脂、ポリアセタール樹脂、ナイロン樹脂等が挙げられる。
【００４４】
刃体１４の材質は特に限定されず、金属製、セラミックス製、樹脂製等を採用することができる。刃体１４の材質として用いられる金属としては、例えば、ステンレス鋼、チタンが挙げられる。刃体１４の材質として用いられるセラミックスとしては、例えば、ジルコニア、酸化アルミニウム、窒化ケイ素が挙げられる。刃体１４の材質として用いられる樹脂としては、剃刀ヘッド１０と同様の樹脂が挙げられる。
【００４５】
第２接続部２４及び第３接続部２５の配置構成について説明する。
図３に示すように、枠部２０の長手方向において、第２接続部２４及び第３接続部２５は、枠部２０の長手方向の中央部と、枠部２０の長手方向の両端部とを除いた位置に配置されている。言い換えれば、第２接続部２４及び第３接続部２５は、枠部２０の長手方向における中央部から離間するとともに、枠部２０の一対の短側壁２２から離間した位置に配置されている。
【００４６】
第２接続部２４及び第３接続部２５の配置構成については、以下のシミュレーションを行って決定した。
図１１に示すように、枠部２０の長手方向における位置を百分率で表し、長手方向の中央部を０％とし、長手方向の両端部における短側壁２２の内面をそれぞれ１００％とした。
【００４７】
図１０に示すように、シミュレーションでは、刃体１４の長手方向の中央から両端に向かって略等しい位置となる２箇所に、幅２ｍｍの板材５０を配置した状態を条件として設定した。そして、図１０の矢印で示す方向である刃体１４の厚さ方向において、刃体１４全体に板材５０に向かって荷重を付与した際の、刃体１４の中央と端での撓みによる変位を計算した。板材５０が刃体１４の両端に位置した状態が、第２接続部２４及び第３接続部２５が枠部２０の長手方向における１００％の位置に配置された状態とみなした。
【００４８】
図１０、１１に示すように、具体的には、板材５０が１００％の位置にある際の刃体１４の中央の変位が１００％、刃体１４の端の変位が０％であることを基準として、板材５０の位置による刃体１４の変位を計算した。
【００４９】
図１１のグラフで示すように、シミュレーションの結果により、第２接続部２４及び第３接続部２５は、３０％〜９０％の範囲に配置されていると、刃体１４の中央と端の変位が共に５０％以下に抑えられていた。また、第２接続部２４及び第３接続部２５は、４０％〜７０％の範囲に配置されていると、刃体１４の中央と端の変位が共に３０％以下に抑えられていた。さらに、第２接続部２４及び第３接続部２５は、５０％〜６８％の範囲に配置されていると、刃体１４の中央と端の変位が共に２０％以下に抑えられていた。そのため、第２接続部２４及び第３接続部２５は、４０％〜７０％の範囲に配置されていることが好ましく、５０％〜６８％の範囲に配置されていることがより好ましい。ここで、３０％〜９０％の範囲に配置されるとは、３０％〜９０％の範囲内に第２接続部２４及び第３接続部２５の全体が入っている状態を意味するものとする。４０％〜７０％の範囲、５０％〜６８％の範囲も同様である。
【００５０】
図１１のシミュレーション結果からは、５５％付近において刃体１４の変位が最も抑えられる位置になるが、使用時には剃刀ヘッド１０の中央部の方が端部よりも髭を剃ることが多く、剃刀ヘッド１０の中央部の髭かす等の抜けをより良くすることが好ましい。そのために、刃体１４を取り付ける第２接続部２４及び第３接続部２５の位置をやや外側（端部寄り）に配置して設定することが好ましく、第２接続部２４及び第３接続部２５を５０〜６８％（中央値５９％）の範囲に配置することが好ましい。
【００５１】
第２接続部２４及び第３接続部２５がこのような配置構成であることにより、第２接続部２４及び第３接続部２５の２つの接続部のみで、枠部２０の短手方向における刃体１４の撓みを好適に抑制した状態で刃体１４を保持することができる。
【００５２】
図６に示すように、第２接続部２４及び第３接続部２５が上記の配置構成であることにより、刃体１４の長手方向の両端部と、枠部２０の一対の短側壁２２との間に空間Ｚが形成された状態となる。すなわち、刃体１４の長手方向の両端部は、開放された状態となっている。これにより、刃体１４の長手方向の両端部と、枠部２０の一対の短側壁２２とが当接した態様に比べて、枠部２０内を流通する液体等を、空間Ｚを利用して流通させやすくすることができる。また、刃体１４の本体部１４ａにおける長手方向の両端部にバリが残る場合、あるいは、刃体１４の刃部１４ｂの長手方向の両端部にバリが残る場合であっても、空間Ｚによってバリが邪魔にならずに支障なく刃体１４を凸部３０同士の間に挿入することが可能になる。また、板バネ４０の弾性変形に伴い枠部２０の軸方向に刃体１４が動いた際にも、刃体１４が枠部２０の内面に干渉することを抑制することができる。
【００５３】
図３に示すように、剃刀ヘッド１０の全幅（長手方向の一端から他端までの長さ）は、特に限定されないが、２５ｍｍ〜８０ｍｍ程度にすることが好ましく、例えば、約４１．５ｍｍとすることができる。剃刀ヘッド１０の全幅の寸法に合わせて、他の寸法を同比率（相似形）で拡大縮小させてもよく、比率を変化させてもよい。
【００５４】
剃刀ヘッド１０の短手方向の長さ（突起部２１ａ及び肉厚部２１ｂを除いた枠部２０の短手方向の長さ）は、特に限定されないが、４．０ｍｍ〜１２．０ｍｍ程度にすることが好ましく、例えば、約８．０ｍｍとすることができる。
【００５５】
第２接続部２４の幅Ｐ２、及び、第３接続部２５の幅Ｐ３は、１．６ｍｍ〜４．０ｍｍ程度にすることが好ましく、例えば、約３．２ｍｍとすることができる。第２接続部２４と第３接続部２５の幅Ｐ２、Ｐ３は、剃刀ヘッド１０の全幅の１０％以下にすることが好ましい。第２接続部２４と第３接続部２５の幅Ｐ２、Ｐ３を、剃刀ヘッド１０の全幅の１０％以下にすることにより、剃刀ヘッド１０の肌接触面と反対側の底面側への髭かす、皮膚あか、シェービング剤等の抜けがよくなる。
【００５６】
本実施形態の作用及び効果について説明する。
（１）刃体１４が取り付けられた接続部は、長側壁２１同士を接続した状態で一対のみ設けられている。枠部２０の長手方向における位置を百分率で表し、長手方向の中央部を０％とし、長手方向の両端部における短側壁２２の内面をそれぞれ１００％とすると、刃体１４が取り付けられた一対の接続部は、中央部を挟んだ両側の３０％〜９０％の範囲に配置されている。
【００５７】
刃体１４が取り付けられた接続部は一対のみ設けられているため、刃体１４が取り付けられた接続部が３つ以上設けられた態様に比べて、接続部に設けられる凸部３０の総数を相対的に少なくすることができる。すなわち、刃体１４を安定的に保持するには、凸部３０の数を多くした方が良いが、凸部３０の数を多くすると枠部２０内を流通する液体等の流通抵抗が大きくなりやすい。凸部３０が取り付けられた接続部が長側壁２１同士を接続した状態で一対のみ設けられていることにより、流通抵抗を小さくすることと、刃体１４を安定的に保持することを両立させることができる。
【００５８】
また、枠部２０内を流通する液体等の流通抵抗が小さくなると、剃刀ヘッド１０の肌接触面とは反対側の底面側への髭かす、皮膚あか、シェービング剤等の抜けがよくなるため、使用者に直接触れる剃刀ヘッド１０をきれいで清潔な状態、言い換えれば、衛生的な状態に保つことができる。したがって、使用者にとってもメリットがある。さらに、刃体１４が取り付けられた一対の接続部が、中央部を挟んだ両側の３０％〜９０％の範囲にそれぞれ配置されていることにより、枠部２０の短手方向における刃体１４の撓みを好適に抑制した状態で刃体１４を保持することができるため、刃先が逃げることなく適切に髭に当たった状態で髭を剃ることができる。肌に対して刃先が良好に当たる状態を維持しやすくなるため、使用者に対して長く快適さを提供し続けることができる。さらに、上記液体等の流通抵抗が小さいことによる効果と、上記刃体の撓みを抑制することによる効果とを両立させることができる。
【００５９】
（２）第２接続部２４及び第３接続部２５は、枠部２０の長手方向における長さが第２接続部２４及び第３接続部２５の他の部分よりも小さく構成された幅狭部２４ａ、２５ａを有する。したがって、幅狭部２４ａ、２５ａを有することにより、枠部２０内を流通する液体等の流通抵抗をより小さくすることが可能になる。また、剃刀ヘッド１０にホルダ等の他の部材を組み付ける際に、幅狭部２４ａ、２５ａを他の部材を組み付けるためのスペースとして活用することができるため、他の部材が第２接続部２４及び第３接続部２５の幅方向に突出することを抑制することができる。したがって、他の部材によって流通抵抗が大きくなることを抑制することができる。
【００６０】
（３）幅狭部２４ａ、２５ａは、第２接続部２４及び第３接続部２５における長側壁２１側の端部に設けられている。したがって、長側壁２１の内周に沿って液体等が流通しやすくなるため、液体等の流通抵抗をより小さくすることができる。
【００６１】
（４）枠部２０の短手方向から見て、第２接続部２４に設けられた複数の凸部３０における第１平面３１同士は同じ位置にあるとともに、第２平面３２同士は同じ位置にある。第３接続部２５に設けられた複数の凸部３０も同様に構成されている。
【００６２】
したがって、刃体１４を挟持する凸部３０の位置が刃体１４毎に同じ位置になっているため、各刃体１４の保持状態をより均一にすることができる。具体的には、複数の刃体を備えた剃刀を使用する場合、複数の刃体には、長手方向の同じ位置に負荷がかかりやすい。各刃体の保持状態がより均一であることにより、各刃体の撓み具合をより一定にすることができる。これにより、使用者の肌に当たる感触を各刃体でより均一にすることができるため、使用者に快適さを提供することができる。また、各刃体の撓み具合をより一定にすることにより、各刃体の間隔をより一定にすることができる。刃体の間隔が狭い部分に髭かす、皮膚あか、シェービング剤等が詰まりやすくなることを抑制することができるため、使用者に直接触れる剃刀ヘッドをきれいで清潔な状態、言い換えれば、衛生的な状態に保つことができる。そのため、使用者にとってもメリットがある。
【００６３】
（５）枠部２０の短手方向から見て、隣り合う凸部３０同士における第１平面３１と第２平面３２は互いに重ならない位置にずれている。枠部２０の短手方向において、刃体１４を挟持する第１平面３１と第２平面３２とが対向していないため、第１平面３１と第２平面３２とが対向した態様に比べて、隣り合う凸部３０同士の最小間隔Ｗを相対的に大きくすることができる。したがって、隣り合う凸部３０同士の間に髭かす、皮膚あか、シェービング剤等が詰まりやすくなることを好適に抑制することができる。また、寸法誤差によって平面同士の隙間Ｓ１が所定より小さくなったとしても、凸部３０同士の間に刃体１４を挿入しやすい状態を好適に維持することができる。
【００６４】
（６）刃体１４の長手方向において、凸部３０における第１平面３１と第２平面３２は同じ長さで構成されている。したがって、刃体の両面を略均等に挟持することが可能になる。
【００６５】
また、隣り合う凸部３０同士の最小間隔Ｗが相対的に大きいことにより、凸部３０同士の間に異物が挟まることを抑制することができる。さらに、凸部３０同士の最小間隔Ｗが大きいことにより、枠部２０を成形する金型を作製する際に、凸部３０同士の最小間隔Ｗを形成する部分の厚さを相対的に厚くすることができる。そのため、金型の強度を向上させることが可能になる。
【００６６】
（７）凸部３０同士の第１平面３１と第２平面３２とで刃体１４を挟持しているため、例えば、曲面同士で刃体１４を挟持する態様に比べて、刃体１４をより安定した状態で挟持することができる。刃体１４をより安定した状態で挟持することにより、肌に対して刃先が良好に当たる状態を維持しやすくなるため、使用者に対して長く快適さを提供し続けることができる。また、刃体１４の位置がずれることによる凸部３０の摩耗を抑制することができる。さらに、凸部３０の摩耗による刃体１４のがたつきを抑制することができる。刃体１４ががたつくと使用者に不快感を与えるため、刃体１４のがたつきを抑制することによっても、使用者に対して快適さを提供することができる。
【００６７】
（８）凸部３０の横断面形状は、平行四辺形で構成されている。第３平面３３と第４平面３４が直線状の傾斜面で構成されるため、この傾斜面に接触した髭かす、皮膚あか、シェービング剤等の流通抵抗を低減して、より迅速に流通させることが可能になる。
【００６８】
（９）刃体１４の長手方向の両端部と、枠部２０の一対の短側壁２２との間に空間Ｚが設けられている。したがって、この空間Ｚを利用して、枠部２０内を水等の液体が通過しやすくなる。また、刃体１４の本体部１４ａにおける長手方向の両端部にバリが残る場合、あるいは、刃体１４の刃部１４ｂの長手方向の両端部にバリが残る場合であっても、空間Ｚによってバリが邪魔にならずに支障なく刃体１４を凸部３０同士の間に挿入することが可能になる。また、板バネ４０の弾性変形に伴い枠部２０の軸方向に刃体１４が動いた際にも、刃体１４が枠部２０の内面に干渉することを抑制することができる。
【００６９】
（１０）第２接続部２４及び第３接続部２５には、互いに離間する方向に突出した板バネ４０が設けられており、刃体１４は、板バネ４０に支持されている。したがって、刃体１４の長手方向の両端部と枠部２０の一対の短側壁２２との間の空間Ｚを残しつつ、刃体１４の長手方向の両端部側を板バネ４０で支持することができる。また、長尺状の刃体１４を支持するにあたり、刃体１４の長手方向の両端部側を支持することにより、より安定した状態で刃体１４を支持することができる。板バネ４０の弾性変形に伴い刃体１４が移動した場合であっても、刃体１４を安定して支持することができる。
【００７０】
本実施形態は、以下のように変更して実施することができる。本実施形態及び以下の変更例は、技術的に矛盾しない範囲で互いに組み合わせて実施することができる。
・本実施形態では、幅狭部２４ａ、２５ａは、第２接続部２４と第３接続部２５の両方に設けられていたが、第２接続部２４と第３接続部２５のいずれか一方のみに設けられていてもよい。幅狭部２４ａ、２５ａは省略されていてもよい。
【００７１】
・本実施形態では、幅狭部２４ａ、２５ａは、第２接続部２４と第３接続部２５の長手方向の一方の端部である長側壁２１側の端部に設けられていたが、長手方向の両端部に設けられていてもよい。また、第２接続部２４と第３接続部２５の長手方向の端部以外に設けられていてもよい。
【００７２】
・本実施形態では、枠部２０の短手方向から見て、隣り合う凸部３０同士における第１平面３１と第２平面３２は互いに重ならない位置にずれていたが、この態様に限定されない。枠部２０の短手方向から見て、隣り合う凸部３０同士における第１平面３１と第２平面３２は部分的に重なっていてもよい。部分的に重なっていても、第１平面３１と第２平面３２とが対向する領域を小さくすることができるため、寸法誤差によって平面同士の隙間Ｓ１が所定より小さくなったとしても、凸部３０同士の間に刃体１４を挿入しやすい状態を維持することができる。
【００７３】
・本実施形態では、凸部３０の横断面形状は平行四辺形で構成されていたが、凸部３０の横断面形状は、本実施形態の形状に限定されない。具体的には、本実施形態では、第３接続部２５の凸部３０は、凸部３０の第３平面３３が枠部２０の長手方向の中央側と枠部２０の短手方向の他端側の両方に面するように傾斜し、凸部３０の第４平面３４が、枠部２０の長手方向における他端側と枠部２０の短手方向の一端側の両方に面するように傾斜していた。これに対し、例えば、凸部３０の第３平面３３が、枠部２０の長手方向の中央側と枠部２０の短手方向の一端側の両方に面するように傾斜し、凸部３０の第４平面３４が、枠部２０の長手方向における他端側と枠部２０の短手方向の他端側の両方に面するように傾斜していてもよい。すなわち、平行四辺形の第３平面３３と第４平面３４が傾斜する方向が逆方向になっていてもよい。
【００７４】
・凸部３０の横断面形状は平行四辺形に限定されない。凸部３０の第３平面３３及び第４平面３４は、互いに平行に構成された態様に限定されず、所定の角度を有していてもよい。
【００７５】
・凸部３０の第３平面３３及び第４平面３４は、互いに近接するように中央側が窪んだ曲面で構成されていてもよいし、互いに離間するように中央側が膨らんだ曲面で構成されていてもよい。凸部３０の第３平面３３及び第４平面３４が互いに近接するように中央側が窪んだ曲面で構成されている場合、凸部３０が相対的に細くなるため、枠部２０を軽量化することが可能になる。また、金型を作製することが容易になる。凸部３０の第３平面３３及び第４平面３４が互いに離間するように中央側が膨らんだ曲面で構成されている場合、凸部３０が相対的に太くなるため、枠部２０の機械的強度を向上させることが可能になる。
【００７６】
・凸部３０の第３平面３３及び第４平面３４のいずれか一方が、中央側が窪んだ曲面で構成され、第３平面３３及び第４平面３４のいずれか他方が、中央側が膨らんだ曲面で構成されていてもよい。
【００７７】
・本実施形態では、刃体１４の長手方向の両端部と、枠部２０の一対の短側壁２２との間に空間Ｚが設けられていたが、この態様に限定されない。刃体１４の長手方向の両端部が、枠部２０の一対の短側壁２２に当接しており、空間Ｚを有することなく構成されていてもよい。また、刃体１４の長手方向の両端部が、枠部２０の一対の短側壁２２において保持されており、空間Ｚを有することなく構成されていてもよい。
【００７８】
・本実施形態では、凸部３０は、第２接続部２４及び第３接続部２５の長手方向に沿って４つずつ設けられていたが、この凸部３０の数は４つに限定されない。凸部３０は３つであってもよいし、５つ以上設けられていてもよい。
【００７９】
・本実施形態では、接続部として、第１接続部２３、第２接続部２４、及び、第３接続部２５が設けられていたが、第１接続部２３は省略されていてもよい。すなわち、第１接続部２３が省略され、複数の接続部である第２接続部２４と第３接続部２５の両方（全て）に刃体１４が取り付けられていてもよい。
【００８０】
・本実施形態では、第２接続部２４及び第３接続部２５には、互いに離間する方向に突出した板バネ４０が設けられていたが、この態様に限定されない。第２接続部２４及び第３接続部２５に、互いに近接する方向に突出した板バネ４０が設けられていてもよい。
【００８１】
・第２接続部２４及び第３接続部２５に設けられた板バネ４０は省略されていてもよい。すなわち、本実施形態では、刃体１４は板バネ４０によって支持されて、枠部２０の軸方向に移動可能に構成されていたが、枠部２０の軸方向に移動できないように固定されていてもよい。
【００８２】
・本実施形態では、刃体１４は、板状の本体部１４ａと、本体部１４ａの短手方向の一端側に接合される刃部１４ｂとを有していたが、この態様に限定されない。刃体１４は、本体部１４ａと刃部１４ｂとが一体に成形された一部品で構成されていてもよい。
【符号の説明】
【００８３】
１０…剃刀ヘッド、１４…刃体、２０…枠部、２１…長側壁、２２…短側壁。
【要約】
【課題】枠部内を流通する液体等の流通抵抗を小さくすることと、刃体の撓みを抑制することを両立させる。
【解決手段】刃体が取り付けられた接続部は、長側壁２１同士を接続した状態で一対のみ設けられており、枠部２０の長手方向における位置を百分率で表し、長手方向の中央部を０％とし、長手方向の両端部における短側壁２２の内面をそれぞれ１００％とすると、刃体が取り付けられた一対の接続部は、中央部を挟んだ両側の３０％〜９０％の範囲に配置されている。
【選択図】図３【図１】
0006619534.tif 000002
【図２】
0006619534.tif 000003
【図３】
0006619534.tif 000004
【図４】
0006619534.tif 000005
【図５】
0006619534.tif 000006
【図６】
0006619534.tif 000007
【図７】
0006619534.tif 000008
【図８】
0006619534.tif 000009
【図９】
0006619534.tif 000010
【図１０】
0006619534.tif 000011
【図１１】
0006619534.tif 000012
【図１２】
0006619534.tif 000013